(57)【要約】【課題】筺体の設置時に吊り金具を位置調整しなくても筺体の変形を小さくする。【解決手段】筺体２と、天井から垂下された吊下げボルト１２と、筺体の側面に設けられ吊下げボルトが通る貫通穴を備える吊下げ金具１３と、吊下げ金具の下方に設けられ吊下げボルトと接続することで吊下げ金具を支持する支持金具１４とを備え、天井の下方に設けられた化粧ボード１５の開口部に筺体を設置する天井吊下げ型筺体において、吊下げ金具は天井に向かって凸状となる球面部を備え、吊下げ金具の球面部に貫通穴を備え、支持金具は前記天井に向かって凸状となる球面部を備え、吊下げ金具の球面部と支持金具の球面部とが摺動可能に構成される。【選択図】  図２
2012093038.tif 000002
【特許請求の範囲】
【請求項１】
筺体と、天井から垂下された吊下げボルトと、前記筺体の側面に設けられ前記吊下げボルトが通る貫通穴を備える吊下げ金具と、前記吊下げ金具の下方に設けられ前記吊下げボルトと接続することで前記吊下げ金具を支持する支持金具とを備え、前記天井の下方に設けられた化粧ボードの開口部に前記筺体を設置する天井吊下げ型筺体において、
前記吊下げ金具は前記天井に向かって凸状となる球面部を備え、前記吊下げ金具の球面部に前記貫通穴を備え、前記支持金具は前記天井に向かって凸状となる球面部を備え、前記吊下げ金具の球面部と前記支持金具の球面部とが摺動可能に構成されることを特徴とする天井吊下げ型筺体。
【請求項２】
請求項１において、前記天井と前記吊下げボルトとの接続部分と、前記吊下げボルトと前記支持金具との接続部分とが、前記筺体の設置時に鉛直方向でずれる場合に、前記吊下げ金具の球面部と前記支持金具の球面部とが面接触した状態で前記吊下げボルトが前記貫通穴を可動することを特徴とする天井吊下げ型筺体。
【請求項３】
請求項１又は２において、前記吊下げ金具の球面部と前記支持金具の球面部との間に、摺動を容易にする摺動層を備えることを特徴とする天井吊下げ型筺体。
【請求項４】
請求項３において、前記摺動層に代えて複数個の小球部材を備えることを特徴とする天井吊下げ型筺体。
【請求項５】
請求項１乃至４の何れかにおいて、前記筺体の内部にファンモータと、前記ファンモータの回転軸に接続されたターボファンとを備えることを特徴とする送風機。
【請求項６】
請求項５において、前記ターボファンの吹出し側に熱交換器を備えることを特徴とする空気調和機の室内機。
【発明の詳細な説明】
【技術分野】
【０００１】
本発明は、天井吊下げ型筺体および送風機ならびに空気調和機の室内機に関する。
【背景技術】
【０００２】
天井に吊下げて設置する空気調和機の室内機では、天井から垂下された４本の吊りボルトの位置と室内機に配された吊り金具の位置とが一致していないと、吊り金具の位置に合わせてむりやり室内機を設置することになる。この場合、吊りボルトが強制変形させられるため、吊りボルトの復元力が吊り金具や室内機の筐体に作用して歪むおそれがある。筺体が大きく変形すると、例えば化粧パネルの外観を損ねる。また、吊りボルトの位置と化粧ボードを設置する天井面の開口部が一致していない場合も同様の問題が生じ得る。
【０００３】
室内機の設置作業を確実かつ容易にするために、従来から色々な手段が用いられている。例えば特許文献１に開示された室内機吊り下げ装置においては、Ｌ字型の吊り金具に長手方向が空調機前後方向に動く取り付け用長穴を設け、取り付け用長穴を通して空調機外箱にねじ止めするとともに、取り付け用長穴の長手方向に対して直角すなわち空調機の左右方向が長手方向となる吊りボルト通し用長穴を設け、この吊りボルト通し用長穴につながる吊りボルト着脱用切り欠き部を設けている。これにより、空調機を吊り下げた後でも、Ｌ字型の吊り金具と空調機外箱との締結ねじを緩めることで前後方向に位置調整することができ、またボルト通し部において左右方向に位置調整することができる。このため、４本の吊りボルトと、室内機に配された吊り金具を正確に位置決めする必要がない。
【先行技術文献】
【特許文献】
【０００４】
【特許文献１】特開平４−３７１７３３号公報
【発明の概要】
【発明が解決しようとする課題】
【０００５】
しかし特許文献１は、吊りボルトと吊り金具とを仮接続した状態で、作業者が天井に向かって上向きの状態で各吊り金具を前後左右方向に位置調整しなければならず作業性が悪いという課題がある。
【０００６】
本発明の目的は、筺体の設置時に吊り金具を位置調整しなくても筺体の変形を小さくすることにある。
【課題を解決するための手段】
【０００７】
本発明は、上記目的を達成するため、筺体と、天井から垂下された吊下げボルトと、前記筺体の側面に設けられ前記吊下げボルトが通る貫通穴を備える吊下げ金具と、前記吊下げ金具の下方に設けられ前記吊下げボルトと接続することで前記吊下げ金具を支持する支持金具とを備え、前記天井の下方に設けられた化粧ボードの開口部に前記筺体を設置する天井吊下げ型筺体において、前記吊下げ金具は前記天井に向かって凸状となる球面部を備え、前記吊下げ金具の球面部に前記貫通穴を備え、前記支持金具は前記天井に向かって凸状となる球面部を備え、前記吊下げ金具の球面部と前記支持金具の球面部とが摺動可能に構成されることを特徴とする。
【発明の効果】
【０００８】
本発明によれば、筺体の設置時に吊り金具を位置調整しなくても筺体の変形を小さくすることができる。
【図面の簡単な説明】
【０００９】
【図１】本発明の実施例１における空気調和機の室内機を示す図である。
【図２】実施例１における空気調和機の室内機の吊下げ部の斜視図である。
【図３】吊下げボルトの位置と化粧ボードの開口部がずれた場合に、実施例１における空気調和機の室内機を設置した状態を説明する構成図である。
【図４】吊下げボルトの位置と化粧ボードの開口部がずれた場合に、位置調整をしない空気調和機の室内機を設置した状態を説明する構成図である。
【図５】本発明の実施例２の拡大図である。
【図６】本発明の実施例３の拡大斜視図である。
【発明を実施するための形態】
【００１０】
以下、本発明の実施の形態について、図を用いて説明する。
【実施例１】
【００１１】
図１は、実施例１における空気調和機の室内機の構成図を示している。  
空気調和機の室内機は、化粧パネル１と、化粧パネル１に接続された筐体２から構成される。ここで、化粧パネル１は、下面の中心に吸込みグリル３を備え、その周囲に風向板４を備えた吹出し口５が設けられている。筐体２の内部の中央には、ファンモータ６と、ファンモータ６の回転軸に接続されたターボファン７が配置され、ターボファン７の吹出し側には熱交換器８が配されている。熱交換器８の下方には、熱交換器８から生じる結露水を受けるためのドレンパン９が設けられている。ドレンパン９の内側には、ターボファン７の入口となるベルマウス１０が取り付けられている。
【００１２】
化粧パネル１と筐体２との境目には、空調機の配管や建物の配線類を隠すための化粧ボード１５を用いることが多い。この場合、筐体２の設置位置に合わせて化粧ボード１５には開口部が設けられ、筐体２はあらかじめ設けられた開口部に設置される。筺体２は天井１１と化粧ボード１５の間の空間に設置される。
【００１３】
筐体２は吊下げ金具１３と吊下げボルト１２を介して天井１１に吊下げられる。天井１１より垂下された吊下げボルト１２を、筐体２の側面に設けられた吊下げ金具１３に貫通させる。支持金具１４を吊下げ金具１３の下方から吊下げボルト１２に接続することで支持金具１４は吊下げ金具１３を支持する。
【００１４】
吊下げられる筺体２は、熱交換器８等の内部機器も含めると数十kgの重量物になり、筺体２が吊られると、筺体２と吊下げ金具１３との支持部分には上向きに大きな力が加わる。近年の省資源，省スペース化のニーズに合わせて筺体２も軽量，薄肉化しているため、筺体２は変形しやすくなっている。特に筺体２は面に垂直な方向に変形しやすいため、吊下げ金具１３を筺体２の上面に接続すると筺体２が大きく変形してしまう。そこで本実施例では筺体２の側面に吊下げ金具１３を接続する。これにより、筺体２と吊下げ金具１３との支持部分には主に上方向に大きな力がかかり、筺体２の歪みやすい方向（筺体側面に対して垂直方向）にかかる力を小さくすることができ、筺体２の変形を小さくすることができる。
【００１５】
本実施例の吊下げ金具１３は、筺体２の側面に接続される面（筺体側の面）と支持金具１４に支持される面（支持金具側の面）を有する。筺体側の面の下端から支持金具側の面が筺体２の外側に伸びているが、筺体側の面の上端から支持金具側の面が伸びていてもよいし、上端と下端の間から伸びていてもよい。また、筺体側の面と支持金具側の面とのなす角が直角でなくてもよい。要するに、吊下げ金具１３の一部の面を筺体２の側面と固定し、吊下げ金具１３の残りの部分が以下に述べる支持金具１４を用いて吊下げボルト１２に引っかかるように支持されればよい。
【００１６】
図２は、本実施例における空気調和機の室内機の吊下げ部の斜視図を示している。  
本実施例では、筐体２を吊下げるための吊下げボルト１２、筺体２の側面に固定され吊下げボルト１２が貫通する吊下げ金具１３、吊下げ金具１３が落ちないように下から固定する支持金具１４を備える。
【００１７】
吊下げ金具１３の支持金具側の面と支持金具１４は、天井１１に向かって凸状の球面部を有している。支持金具側の面の球面部の径は支持金具１４の径よりも大きい。本実施例では半球で説明しているが、これに限られず、半球より立体角が大きくても小さくてもよい。支持金具側の面が支持金具１４と面接触し摺動するものであればよい。球面部の頂点近傍には吊下げボルト１２の径以上の貫通穴が開けられている。更に、設置時に吊下げボルト１２を貫通穴に通し易くするために、吊下げ金具１３に切り欠き部１６を設けてもよい。貫通穴の大きさは、吊下げボルト１２が斜めになるように筺体２が設置された場合に吊下げボルト１２が吊下げ金具１３と接触しない範囲としており、貫通穴が大きいほど吊下げボルト１２が大きく傾くことができる。即ち、吊下げ金具１３は吊下げボルト１２と直接固定されず、吊下げボルト１２に固定された支持金具１４の上に載せられている。支持金具１４は球面部分を有し吊下げボルト１２としっかり固定されるものであればよい。例えば、球面の貫通穴をねじ穴として吊下げボルト１２に締結するものでもよく、ねじ穴のない球面の場合は下からナット１７を吊下げボルト１２に締結するものでもよく、球面の内側にナット１７を溶接して一体としてもよい。  
図３は、吊下げボルトの位置と化粧ボードの開口部がずれた場合に、実施例１における空気調和機の室内機を設置した状態を説明する構成図を示している。化粧ボード１５が設置された建物の場合、上記の通り筐体２を設置するために化粧ボード１５には開口部が設けられる。この開口部は、手作業で化粧ボード１５を切断して設けられることが一般的であるため、吊下げボルト１２の位置と化粧ボード１５の開口部とがずれる場合がある。この場合、筺体２を設置するときに化粧ボード１５の開口部に合わせる必要があり、天井１１と吊下げボルト１２の接続部分と吊下げ金具１３の貫通穴の中心（吊下げボルト１２と支持金具１４との接続部分）も鉛直方向においてずれるので、吊下げボルト１２はこの移動量に合わせて変形する。吊下げボルト１２が天井１１との接続部分から下方に向かうにつれて鉛直方向からずれる（図３における左右方向や奥行方向に吊下げボルト１２が傾く）と、支持金具１４はこの移動量に合わせて吊下げ金具１３における吊りボルト側の面の球面に沿って摺動する。吊下げ金具１３の球面部と支持金具１４の球面部とが面接触した状態で吊下げボルト１２が貫通穴を可動する。
【００１８】
図４は筺体の位置調整をしない室内機を設置した状態を説明する構成図を示している。従来の室内機の吊下げ方法としては、吊下げボルト１２を筐体２の側面に配された吊下げ金具１３に貫通させ、吊下げ金具１３の上下をナット１７で挟み込み、互いの位置関係が変化しないように剛に固定している。図のように、化粧ボード１５の開口部と吊下げボルト１２の位置が多少ずれている場合、吊下げボルト１２が変形した状態で筺体２を設置すると、吊下げボルト１２が元の位置に戻ろうとする復元力が吊下げ金具１３にはたらく。具体的には、復元力は吊下げボルト１２が元の位置に戻る方向の力（図の左向きの破線矢印）と、鉛直方向の力（図の下向きの破線矢印）と、図示しない奥行方向の力に分解され、ナット１７で挟まれた吊下げ金具１３にはこれらの力がはたらく。特に下向きの力が吊下げ金具１３にかかることで、吊下げ金具１３自体が変形したり、吊下げ金具１３における筺体側の面の上部に外向き（図の左向きの矢印）の力がかかり筺体２が変形する。吊下げ金具１３や筐体２の強度によってはこれらが大きく変形して全体のゆがみとなって現れ、外観を損ねる要因となってしまう。図の右側の吊下げ金具１３の場合も、同様に吊下げボルト１２の復元力がはたらく。
【００１９】
本実施例では、吊下げボルト１２と吊下げ金具１３との互いの位置関係が変化するように支持されている。吊下げ金具１３には吊下げボルト１２が動ける隙間（貫通穴）を設けると共に、吊下げ金具１３と支持金具１４との接触面を球面状にすることで、筺体２を無理やり設置して吊りボルト１２が傾いた場合でも吊下げ金具１３の吊りボルト側の面に下向きの力がかかりにくく、また吊下げ金具１３と支持金具１４との接触面積を大きくすることで安定して支持することができる。
【００２０】
以上は空気調和機の室内機で説明したが、筺体２が天井１１から吊下げられる構造（天井吊下げ型筺体）であって、筺体２の設置位置が化粧ボード１５の開口部のように限られた大きさの開口部の位置に拘束されるものに本実施例は適用できる。例えば、熱交換器８がなくファンモータ６とターボファン７を備えるような送風機であってもよい。
【実施例２】
【００２１】
図５は、本発明の実施例２を拡大図で示している。図において、吊下げ金具１３と支持金具１４との間には、テフロン（登録商標）等の低摩擦材料や、潤滑油等の潤滑剤を用いて摺動層１８を形成している。これにより、吊下げ金具１３と支持金具１４とが摺動しやすくなり、吊下げ金具１３と支持金具１４とを面で安定して支持することができる。
【実施例３】
【００２２】
図６は、本発明の実施例３の拡大斜視図を示している。図において、支持金具１４の球面部の外側外周部に、複数個の小球部材１９を埋め込んで、この複数の小球部材１９を回転自由として吊下げ金具１３と接触させることで、吊下げ金具１３と支持金具１４とが摺動しやすくなる。吊下げ金具１３と支持金具１４の間に小球部材１９を設ければよいので、吊下げ金具１３の球面部の内側に小球部材１９を配しても、上記と同様の効果を得ることができる。
【符号の説明】
【００２３】
１  化粧パネル
２  筐体
３  吸込みグリル
４  風向板
５  吹出し口
６  ファンモータ
７  ターボファン
８  熱交換器
９  ドレンパン
１０  ベルマウス
１１  天井
１２  吊下げボルト
１３  吊下げ金具
１４  支持金具
１５  化粧ボード
１６  切り欠き部
１７  ナット
１８  摺動層
１９  小球部材
【図１】
2012093038.tif 000003
【図２】
2012093038.tif 000004
【図３】
2012093038.tif 000005
【図４】
2012093038.tif 000006
【図５】
2012093038.tif 000007
【図６】
2012093038.tif 000008